(57)【特許請求の範囲】
【請求項１】
撮影光学系を介して入射される光束により被写体像を撮像して得られる撮像信号に基づいて画像または映像を生成するための信号処理を行う主信号処理回路を有する電子カメラに搭載される撮像ユニットであって、
二次元状に配列された複数の撮像用画素と、前記撮像用画素に混在して一次元または二次元状に配列された複数の焦点検出用画素とを有し、前記撮像用画素における前記光束の受光量に応じて前記被写体像を表すための撮像信号を出力すると共に、前記焦点検出用画素における前記光束の受光量に応じて前記撮影光学系の焦点調節状態を瞳分割型位相差検出方式により検出するための焦点検出信号を出力する撮像素子と、
前記撮像素子から出力された前記撮像信号に対して情報量を削減処理した後に、前記主信号処理回路に前記削減処理後の信号を出力する副信号処理回路と、を備え、
前記副信号処理回路は前記削減処理として、
前記撮像素子における前記焦点検出用画素の配列位置に対応して前記撮像信号から焦点検出信号を分離し、前記焦点検出用画素の配列位置に対応して前記撮像信号を補間する補間処理を行った後に静止画撮像信号を生成する処理と、前記静止画撮像信号の解像度変換処理を行って動画撮像信号を生成する処理と、前記動画撮像信号から階調変換処理を行ってライブビュー表示信号を生成する処理と、を選択的に行うことを特徴とする撮像ユニット。
【請求項２】
請求項１に記載の撮像ユニットと、
前記撮像ユニットの前記副信号処理回路から出力される前記撮像信号の情報量を削減処理した後の各種撮像信号に基づいて画像または映像を生成するための信号処理を行う主信号処理回路と、を備えることを特徴とする電子カメラ。
【請求項３】
請求項１に記載の撮像ユニットと、
前記撮像ユニットの前記副信号処理回路から出力される前記撮像信号の情報量を削減処理した後の各種撮像信号に基づいて画像または映像を生成するための信号処理を行う主信号処理回路と、
前記主信号処理回路により生成された前記画像または前記映像を記録媒体に記録する記録制御手段と、
前記主信号処理回路により生成された前記映像をライブビュー表示可能な表示手段と、を備え、
前記副信号処理回路は、前記表示手段により前記映像をライブビュー表示するときには前記階調変換処理を行い、前記記録制御手段により前記映像を前記記録媒体に記録するときには前記階調変換処理を禁止することを特徴とする電子カメラ。
【発明の詳細な説明】
【技術分野】
【０００１】
本発明は、撮像ユニットおよびこれを搭載した電子カメラに関する。
【背景技術】
【０００２】
撮像用画素の二次元配列中の限られた一部の領域に焦点検出用画素列を配置した撮像素子と、その撮像素子を用いた撮像装置が知られている（例えば、特許文献１参照）。この種の撮像素子を用いた撮像装置では、焦点検出用画素位置の画像信号を、焦点検出用画素の周囲の撮像用画素から出力された画像信号に基づいて補間により求め、焦点検出用画素位置の画像信号の欠落をなくしている。そして、補間後の画像信号を撮像素子からＣＰＵへ出力して信号処理することにより、画像や映像を生成している。
【先行技術文献】
【特許文献】
【０００３】
【特許文献１】特開２００７−２７９３１２号公報
【発明の概要】
【発明が解決しようとする課題】
【０００４】
上述した従来の技術では、補間後の画像信号（撮像信号）を撮像素子からそのままＣＰＵへ出力するため、撮像素子の画素数が増えるのに従って、その撮像素子から出力される撮像信号の情報量が増大する。ところで、近年のデジタルカメラでは、静止画の撮影に加えて動画撮影を行うこともできるようになっている。動画撮影では撮像素子からの撮像信号を所定のフレームレート毎に出力する必要があるので、撮像素子の画素数が増えることで撮像信号の情報量が増大すると、それに応じて信号伝送路の容量を大きくしなければならない。しかしながら、信号伝送路の容量を大きくすることは、カメラ内における各部品の配置や配線の制約上、困難な場合がある。
【０００５】
また、上記のような問題点を解決するために、撮像素子において所定の割合で画素を読み飛ばしたり、複数の画素からの信号を内部加算して読み出したりすることで、撮像素子から出力される撮像信号の情報量を削減することもできる。しかしながら、このような読み飛ばしや内部加算を行うと、その分だけ撮像素子から出力される撮像信号の画質が大幅に劣化するという問題が生じる。また、焦点検出用画素の配置に応じて読み飛ばしや内部加算の対象とする画素を決定しなければならないため、撮像素子の回路構成が複雑になるという問題も生じる。
【課題を解決するための手段】
【０００６】
本発明による撮像ユニットは、撮影光学系を介して入射される光束により被写体像を撮像して得られる撮像信号に基づいて画像または映像を生成するための信号処理を行う主信号処理回路を有する電子カメラに搭載され、二次元状に配列された複数の撮像用画素と、撮像用画素に混在して一次元または二次元状に配列された複数の焦点検出用画素とを有し、撮像用画素における光束の受光量に応じて被写体像を表すための撮像信号を出力すると共に、焦点検出用画素における光束の受光量に応じて撮影光学系の焦点調節状態を瞳分割型位相差検出方式により検出するための焦点検出信号を出力する撮像素子と、撮像素子から出力された撮像信号に対して情報量を削減処理した後に、主信号処理回路に削減処理後の信号を出力する副信号処理回路と、を備え、副信号処理回路は削減処理として、撮像素子における焦点検出用画素の配列位置に対応して撮像信号から焦点検出信号を分離し、焦点検出用画素の配列位置に対応して撮像信号を補間する補間処理を行った後に静止画撮像信号を生成する処理と、静止画撮像信号の解像度変換処理を行って動画撮像信号を生成する処理と、動画撮像信号から階調変換処理を行ってライブビュー表示信号を生成する処理と、を選択的に行うものである。
本発明による電子カメラは、上記の撮像ユニットと、撮像ユニットの副信号処理回路から出力される撮像信号の情報量を削減処理した後の各種撮像信号に基づいて画像または映像を生成するための信号処理を行う主信号処理回路とを備えるものである。
【発明の効果】
【０００７】
本発明によれば、回路構成を複雑にすることなく、撮像ユニットから主信号処理回路へ出力される撮像信号の情報量を低く抑えつつ画質の高い撮像信号を得ることができる。
【図面の簡単な説明】
【０００８】
【図１】一実施の形態のデジタルカメラの構成図である。
【図２】固体撮像素子の部分正面図である。
【図３】撮影画面における焦点検出エリアの配置図である。
【図４】副信号処理回路の構成図である。
【発明を実施するための形態】
【０００９】
図１は一実施の形態のデジタルカメラの構成を示す図である。図１において、カメラボディ１にはレンズ鏡筒２が着脱可能に装着される。レンズ鏡筒２には、撮影光学系を構成する撮影レンズ３、フォーカシングレンズ駆動装置４、絞り５などが設置されている。撮影レンズ３は、焦点調節を行うためのフォーカシングレンズを含む。フォーカシングレンズは、フォーカシングレンズ駆動装置４により駆動される。一方、カメラボディ１には撮像ユニット７、主信号処理回路１０、制御装置１１、モニター１２、レリーズボタン１９などが設置されている。
【００１０】
撮影レンズ３を介してカメラボディ１に入射された被写体からの光束は、撮像ユニット７に導かれる。なお、カメラボディ１の上部に、接眼レンズ、ファインダー接眼窓などから構成される周知の光学ファインダーを設けておいても良い。撮影者は、撮像ユニット７で撮像された被写体像をモニター１２上で視認することができる。
【００１１】
撮像ユニット７は、撮像素子８および副信号処理回路９を有している。撮像素子８は、二次元状に配列された複数の撮像用画素と、撮像用画素に混在して一次元状に配列された複数の焦点検出用画素とを有している。
【００１２】
図２は撮像素子８の焦点検出用画素配列部分を示す正面図である。撮像素子８には、Ｒ、ＧまたはＢいずれかの色に対応する撮像用画素３１０がベイヤー配列に従って二次元状に配列されている。この撮像用画素３１０の配列中に、左半円形状と右半円形状の光電変換部をそれぞれ有する焦点検出用画素３１３，３１４が交互に、水平方向に直線状に配列されている。焦点検出用画素３１３，３１４の配列は、図３に示す撮影画面１００に設定された焦点検出エリア１０１に対応して設けられている。なお、焦点検出用画素の形状および配列数、あるいは焦点検出エリアの位置および個数はこの一実施の形態に限定されない。たとえば、焦点検出用画素を横方向に直線状に配列してもよいし、あるいは平面状に、すなわち二次元状に配列してもよい。
【００１３】
撮像素子８は、撮影レンズ３を介した被写体からの光束を受光することにより、撮像用画素３１０における受光量に応じて撮像信号を出力すると共に、焦点検出用画素３１３，３１４における受光量に応じて焦点検出信号を出力する。撮像信号は、被写体像を表すための信号である。一方、焦点検出信号は、撮影レンズ３の焦点調節状態を瞳分割型位相差検出方式により検出するための信号である。前述のように焦点検出用画素３１３，３１４は、左半円形状と右半円形状の光電変換部をそれぞれ有しているため、撮影レンズ３の異なる瞳位置を通過した光束をそれぞれ受光する。焦点検出用画素３１３からの焦点検出信号に対応する像の位置と、焦点検出用画素３１４からの焦点検出信号に対応する像の位置とを比較することで、瞳分割型位相差検出方式に従って、一対の像に対する像ずれ量を検出して撮影レンズ３のデフォーカス量を求めることができる。撮像素子８から出力された撮像信号および焦点検出信号は、副信号処理回路９に入力される。
【００１４】
副信号処理回路９は、撮像素子８から入力された撮像信号および焦点検出信号に対して後述するような各種の信号処理を行い、処理後の信号を主信号処理回路１０へ出力する。この副信号処理回路９が行う信号処理により、カメラボディ１の動作状況に応じて適切な信号を撮像ユニット７から主信号処理回路１０に対して出力することができる。
【００１５】
図４に副信号処理回路９の構成を示す。副信号処理回路９は、焦点検出用画素分離回路９１、補間回路９２、解像度変換回路９３、階調変換回路９４および信号選択回路９５を有する。
【００１６】
焦点検出用画素分離回路９１は、撮像素子８から入力された撮像信号と焦点検出信号を分離するための信号分離処理を行う。分離された撮像信号は補間回路９２へ出力され、焦点検出信号は信号選択回路９５へ出力される。
【００１７】
補間回路９２は、焦点検出用画素分離回路９１から出力された撮像信号を補間するための補間処理を行う。この補間処理では、撮像素子８における前述の焦点検出用画素３１３，３１４の配列位置に対応して撮像信号を補間する。すなわち、撮像素子８において焦点検出用画素３１３，３１４の配列位置からは撮像信号が出力されないため、補間処理を行う前の撮像信号ではこの配列位置に対応する信号が欠損している。したがって、焦点検出用画素３１３，３１４の配列位置に対応する撮像信号を周囲の撮像用画素３１０からの撮像信号に基づいて補間することで、撮像信号の欠損を補うようにする。補間回路９２により補間処理が行われた撮像信号は、解像度変換回路９３へ出力されると共に、静止画用撮像信号として信号選択回路９５へ出力される。
【００１８】
解像度変換回路９３は、補間回路９２から出力された補間処理後の撮像信号の解像度を下げるための解像度変換処理を行う。この解像度変換処理では、補間処理後の撮像信号の解像度を動画撮影に適した解像度に変換する。たとえば、補間処理後の撮像信号の解像度が１０００万画素であり、この撮像素子８から出力される撮像信号に基づいてフルハイビジョン動画撮影を行う場合は、フルハイビジョンの解像度、すなわち約２００万（１９２０×１０８０）画素の解像度となるように、解像度変換回路９３において解像度変換処理が行われる。なお、このときのフレーム周波数は、たとえば３０フレーム／秒となる。解像度変換回路９３において解像度変換処理が行われた撮像信号は、階調変換回路９４へ出力されると共に、動画用撮像信号として信号選択回路９５へ出力される。
【００１９】
階調変換回路９４は、解像度変換回路９３から出力された解像度変換処理後の撮像信号の階調を下げるための階調変換処理を行う。この階調変換処理では、解像度変換処理後の撮像信号の階調をモニター１２におけるライブビュー表示に適した階調に変換する。たとえば、解像度変換処理後の撮像信号の階調が１２ｂｉｔであり、モニター１２において表示可能な画像の階調が８ｂｉｔである場合は、１２ｂｉｔから８ｂｉｔへ階調を下げる処理が階調変換回路９４において行われる。階調変換回路９４において階調変換処理が行われた撮像信号は、ライブビュー用撮像信号として信号選択回路９５へ出力される。
【００２０】
以上説明した解像度変換回路９３が行う解像度変換処理および／または階調変換回路９４が行う階調変換処理により、撮像素子８から出力された撮像信号の情報量が副信号処理回路９において削減される。こうして撮像信号の情報量を削減することで、カメラボディ１内の回路構成を複雑にすることなく、撮像ユニット７から主信号処理回路１０への信号伝送路の容量を小さくすることができる。
【００２１】
信号選択回路９５は、焦点検出用画素分離回路９１、補間回路９２、解像度変換回路９３および階調変換回路９４からそれぞれ出力された各信号のいずれかをカメラボディ１の動作状況に応じて選択し、選択した信号を主信号処理回路１０へ出力する。すなわち、撮影レンズ３の焦点調節状態を瞳分割型位相差検出方式により検出するときには、焦点検出用画素分離回路９１からの焦点検出信号を選択して主信号処理回路１０へ出力する。また、静止画を撮影するときには補間回路９２からの静止画用撮像信号を、動画を撮影するときには解像度変換回路９３からの動画用撮像信号をそれぞれ選択して、主信号処理回路１０へ出力する。さらに、ライブビュー表示を行うときには、階調変換回路９４からのライブビュー用撮像信号を選択して主信号処理回路１０へ出力する。なお、これらの信号選択の指示は、制御装置１１から副信号処理回路９に対して行われる。
【００２２】
以上説明したような出力信号の選択を信号選択回路９５において行うことで、撮像ユニット７から主信号処理回路１０へ出力される撮像信号の情報量を低く抑えつつ、各用途（静止画／動画／ライブビュー）に応じた画質の高い撮像信号を得ることができる。すなわち、静止画撮影時には、解像度の高い静止画用撮像信号を撮像ユニット７から低速で出力することで、これを低容量の信号伝送路でも出力可能とする。一方、動画撮影時やライブビュー表示時には、解像度変換処理や階調変換処理によって情報量を削減することで、従来の画素信号の読み飛ばしや内部加算よりも画質の劣化を抑えつつ、それぞれの動作に必要な情報量の撮像信号を高速に出力できるようにする。
【００２３】
なお、上記の撮像ユニット７において、撮像素子８と副信号処理回路９の間で多量の情報量の信号を高速で授受できるように、撮像素子８と副信号処理回路９は互いに近接して配置されることが好ましい。このとき、上記の各回路に限定した構成とすることで、副信号処理回路９を小型化することができる。あるいは、撮像素子８と副信号処理回路９をそれぞれベアチップ化して単一基板上に搭載したＭＣＭ（Multi Chip Module）により撮像ユニット７を構成してもよい。
【００２４】
主信号処理回路１０は、撮像ユニット７から出力される上記の各信号に基づいて、カメラボディ１の動作状況に応じた各種の信号処理を行う。たとえば、静止画撮影時には、撮像ユニット７から出力される静止画用撮像信号に基づいて、図示しない記録媒体へ記録する画像を生成するための信号処理を行う。一方、動画撮影時には、撮像ユニット７から出力される動画用撮像信号に基づいて、図示しない記録媒体へ記録する映像を生成するための信号処理を行う。また、ライブビュー表示時には、撮像ユニット７から出力されるライブビュー用撮像信号に基づいて、モニター１２においてライブビュー表示を行う映像を生成するための信号処理を行う。主信号処理回路１０が行う信号処理によって生成されたこれらの画像または映像は、制御装置１１へ出力される。なお、主信号処理回路１０は、たとえば画像処理専用のＤＳＰ（Digital Signal Processor）等により構成される。
【００２５】
制御装置１１は、ＣＰＵやメモリなどを備えており、カメラボディ１の動作に応じた各種の処理や制御を行う。たとえば、前述の副信号処理回路９に対する信号選択の指示や、図示しない記録媒体に対する画像や映像の記録制御、モニター１２に対する表示制御などが制御装置１１において行われる。また、撮像ユニット７から主信号処理回路１０を介して出力される焦点検出信号に基づいて撮影レンズ３のデフォーカス量を求め、求めたデフォーカス量に応じてフォーカシング駆動制御装置４を制御することにより、撮影レンズ３の焦点調節を行うこともできる。これ以外にも、カメラボディ１が動作するために必要な様々な処理が制御装置１１において実行される。
【００２６】
モニター１２は、制御装置１１の制御により画像、文字、記号などを表示可能な表示装置である。この一実施の形態ではモニター１２にＬＣＤを用いた例を示す。制御装置１１は、モニター１２を制御することにより、モニター１２において撮像画像や各種の撮影情報を表示するとともに、ライブビュー表示を行う。ライブビューは、副信号処理回路９から出力される前述のライブビュー用撮像信号に基づいて、非撮影時に撮像素子８により連続的に撮像した被写体像をスルー画としてモニター１２に表示する機能である。このライブビュー表示を行うことにより、撮影者はモニター画像を見ながら構図を決めることができる。このライブビューは、撮影者がカメラボディに設けられた電源スイッチ（不図示）をオンすると動作を開始する。
【００２７】
以上説明した実施の形態によれば、次の作用効果を奏する。
（１）カメラボディ１に搭載された撮像ユニット７は、撮像素子８と副信号処理回路９を有する。撮像素子８は、撮像用画素３１０における受光量に応じて撮像信号を出力すると共に、焦点検出用画素３１３，３１４における受光量に応じて焦点検出信号を出力する。副信号処理回路９は、撮像素子８における焦点検出用画素３１３，３１４の配列位置に対応して撮像信号を補間する補間処理を補間回路９２において行った後に、撮像信号の情報量を削減するための解像度変換処理および階調変換処理を解像度変換回路９３と階調変換回路９４においてそれぞれ行い、処理後の信号を主信号処理回路１０へ出力する。このようにしたので、カメラボディ１内の回路構成を複雑にすることなく、撮像ユニット７から主信号処理回路１０へ出力される撮像信号の情報量を低く抑えつつ画質の高い撮像信号を得ることができる。
【００２８】
（２）副信号処理回路９は、信号選択回路９５において、上記の補間処理、解像度変換処理および階調変換処理を行った後の撮像信号と、焦点検出用画素分離回路９１により撮像信号から分離された焦点検出信号とのいずれかを選択して出力することで、これらの信号を別々に主信号処理回路１０へ出力する。これにより、信号処理後の撮像信号に基づいて画像または映像を生成するための信号処理を主信号処理回路１０において行う一方で、焦点検出信号を主信号処理回路１０を介して制御装置１１へ出力することで、制御装置１１において焦点検出信号に基づく撮影レンズ３の焦点調節を行うことができる。
【００２９】
（３）副信号処理回路９は、撮像信号の解像度を下げるための解像度変換処理を解像度変換回路９３において行うことにより、撮像信号の情報量を削減する。また、撮像信号の階調を下げるための階調変換処理を階調変換回路９４において行うことにより、撮像信号の情報量を削減する。したがって、動画撮影時やライブビュー表示時に、従来の画素信号の読み飛ばしや内部加算よりも画質の劣化を抑えつつ、それぞれの動作に必要な情報量の撮像信号を撮像ユニット７から高速に出力することができる。
【００３０】
なお、以上説明した実施の形態では、焦点検出用画素分離回路９１からの焦点検出信号、補間回路９２からの静止画用撮像信号、解像度変換回路９３からの動画用撮像信号または階調変換回路９４からのライブビュー用撮像信号のいずれかを、信号選択回路９５において制御装置１１からの信号選択指示に応じて選択することで、これらの信号のいずれかを副信号処理回路９から主信号処理回路１０へ出力することとした。しかし、カメラボディ１の動作状況に応じて、焦点検出用画素分離回路９１、補間回路９２、解像度変換回路９３および階調変換回路９４の動作を許可または禁止（回路は動作せず、信号はこの回路をスルー）することで、副信号処理回路９から主信号処理回路１０へ出力する信号を切り替えることとしてもよい。
【００３１】
たとえば、撮影レンズ３の焦点調節を行うときには、焦点検出用画素分離回路９１を動作させると共に、補間回路９２、解像度変換回路９３および階調変換回路９４の動作を禁止（回路は動作せず、信号はこの回路をスルー）する。これにより、副信号処理回路９において、焦点調節に不要な回路の動作を停止（回路は動作せず、信号はこの回路をスルー）して、焦点検出用画素分離回路９１からの焦点検出信号のみを出力するようにする。一方、静止画を撮影するときには、焦点検出用画素分離回路９１に加えて補間回路９２を動作させることで、補間回路９２からの静止画用撮像信号を出力するようにする。
【００３２】
動画を撮影するときには、副信号処理回路９において、焦点検出用画素分離回路９１および補間回路９２に加えてさらに解像度変換回路９３を動作させ、解像度変換回路９３からの動画用撮像信号を出力するようにする。このとき、階調変換回路９４の動作は前述のように禁止された状態のままである。すなわち、動画撮影によって得られた映像を制御装置１１の制御により記録媒体に記録するとき、副信号処理回路９は、階調変換回路９４による階調変換処理を禁止して、階調変換されていない動画用撮像信号を主信号処理回路１０へ出力する。
【００３３】
ライブビュー表示を行うときには、副信号処理回路９において、焦点検出用画素分離回路９１、補間回路９２および解像度変換回路９３に加えてさらに階調変換回路９４を動作させ、階調変換回路９４からのライブビュー用撮像信号を出力するようにする。すなわち、主信号処理回路１０によって生成された映像をモニター１２によりライブビュー表示するとき、副信号処理回路９は、階調変換回路９４において階調変換処理を行い、処理後のライブビュー用撮像信号を主信号処理回路１０へ出力する。
【００３４】
以上説明したような出力信号の切替を副信号処理回路９において行うことで、前述した実施の形態と同様に、カメラボディ１の動作状況に応じて最適な信号を撮像ユニット７から主信号処理回路１０へ出力することができる。
【符号の説明】
【００３５】
１：カメラボディ、３：撮影レンズ、７：撮像ユニット、８：撮像素子、９：副信号処理回路、１０：主信号処理回路、１１：制御装置、１２：モニター
【図１】
0005402329.tif 000002
【図２】
0005402329.tif 000003
【図３】
0005402329.tif 000004
【図４】
0005402329.tif 000005